(57)【要約】【課題】誤送信を抑制しつつ、ユーザーフレンドリーな操作体系を提供し、短縮キーに設けられた開閉カバーセンサーからの出力値が不適切であった場合には、その後に短縮キーが操作された場合に送信宛先をユーザーに確認させる仕組みを提供する。【解決手段】本画像形成装置は、送信宛先の短縮入力を実現する短縮キーと、短縮キーを覆うように設けられた開閉可能なカバーと、カバーの開状態及び閉状態を出力する第１及び第２カバー開閉検知スイッチとを備え、前記短縮キーの操作を受け付けた際に、前記第１及び第２カバー開閉検知スイッチが異なる検知結果を示す場合には、前記第１及び第２カバー開閉検知スイッチから異なる出力が発生したことを示す不一致情報を不揮発性の記憶手段に記憶させ、前記画像形成装置を再起動する。【選択図】  図８
2015192410.tif 000002
【特許請求の範囲】
【請求項１】
画像形成装置であって、
送信宛先の短縮入力を実現する短縮キーと、
前記短縮キーを覆うように設けられた開閉可能なカバーと、
前記カバーの開状態及び閉状態を出力する第１及び第２カバー開閉検知スイッチと、
前記短縮キーの操作を受け付けた際に、前記第１及び第２カバー開閉検知スイッチが異なる検知結果を示す場合には、前記第１及び第２カバー開閉検知スイッチから異なる出力が発生したことを示す不一致情報を不揮発性の記憶手段に記憶させ、前記画像形成装置を再起動する制御手段と
を備えることを特徴とする画像形成装置。
【請求項２】
前記短縮キーが操作された際に前記確認画面を前記表示部に表示するか否かをユーザー操作に応じて設定する設定手段をさらに備え、
前記制御手段は、
前記第１及び第２カバー開閉検知スイッチが同じ検知結果を示す場合には、前記設定手段によって設定された設定情報に従って、前記短縮キーを操作したことによって設定された宛先を確認する確認画面を表示部に表示することを特徴とする請求項１に記載の画像形成装置。
【請求項３】
前記制御手段は、
前記短縮キーの操作を受け付けた際に、前記第１及び第２カバー開閉検知スイッチが同じ検知結果を示し、かつ、前記不揮発性の記憶手段に前記不一致情報が記憶されている場合には、前記設定情報が前記確認画面を表示しないことを示す場合であっても、前記確認画面を表示部に表示することを特徴とする請求項２に記載の画像形成装置。
【請求項４】
前記不一致情報は、前記第１及び第２カバー開閉検知スイッチから異なる出力が発生した発生回数を含む情報であり、
前記制御手段は、前記第１及び第２カバー開閉検知スイッチが同じ検知結果を示し、かつ、前記記憶手段に記憶されている前記不一致情報が示す前記発生回数が所定の閾値に達しており、かつ、前記短縮キーの操作を受け付けた場合に、前記確認画面を前記表示部に表示することを特徴とする請求項２に記載の画像形成装置。
【請求項５】
前記確認画面は、前記短縮キーを操作したことによる宛先で送信を実行するか否かをユーザーが選択可能に表示されることを特徴とする請求項２乃至４の何れか１項に記載の画像形成装置。
【請求項６】
前記制御手段は、
前記画像形成装置が再起動される際に、サービスエラーを示す画面を表示部に表示することを特徴とする請求項１乃至５の何れか１項に記載の画像形成装置。
【請求項７】
前記設定手段による前記設定情報は、不揮発性の記憶手段に記憶されることを特徴とする請求項２に記載の画像形成装置。
【請求項８】
前記第１及び第２カバー開閉検知スイッチは、
前記カバーが閉状態にあるときに、該カバーに設けられた突起によって押されるスイッチであることを特徴とする請求項１乃至７の何れか１項に記載の画像形成装置。
【請求項９】
送信宛先の短縮入力を実現する短縮キーと、前記短縮キーを覆うように設けられた開閉可能なカバーと、前記カバーの開状態及び閉状態を出力する第１及び第２カバー開閉検知スイッチと、を備える画像形成装置の制御方法であって、
制御手段が、前記短縮キーの操作を受け付けた際に、前記第１及び第２カバー開閉検知スイッチが異なる検知結果を示す場合には、前記第１及び第２カバー開閉検知スイッチから異なる出力が発生したことを示す不一致情報を不揮発性の記憶手段に記憶させ、前記画像形成装置を再起動する制御工程と
を実行することを特徴とする画像形成装置の制御方法。
【請求項１０】
請求項１乃至８の何れか１項に記載の画像形成装置としてコンピュータを機能させるための該コンピュータで読み取り可能なプログラム。
【発明の詳細な説明】
【技術分野】
【０００１】
本発明は、画像形成装置、その制御方法及びプログラムに関する。
【背景技術】
【０００２】
近年、装置サイズがコンパクトな画像形成装置の分野においてコスト競争が激しいだけでなく、更なる小型化かつ高機能化が求められている。また、パーソナルコンピューター及びネットワークが広く普及し、画像形成装置と外部装置とが連携して、画像形成装置のスキャナーから画像を読み取り、ファクシミリを送信できることはもちろん電子データとして外部装置に送信する機能が提供されてきている。
【０００３】
送信に際して、送信先を簡便に指定する方法として特定のハードウェアキーに送信先を割り当てたワンタッチキーや数桁の特定番号に送信先を割り当てた短縮ダイヤルが知られている。特許文献１は、操作パネルに開閉可能なカバーを装着し、カバーの開閉状態に応じて、ワンタッチキーの役割を切り替えるように構成した画像形成装置を提案している。
【０００４】
このような開閉可能なカバーが設けられたハードウェアキーを有する画像形成装置において、カバー開閉センサーの異常を検出する構成を備えることで、ファクシミリ誤送信を防止するための技術が検討されている。例えば、カバーの開閉を検出する複数のセンサーを備え、センサーの出力が予め定められた組み合わせのときだけファクシミリ送信宛先のワンタッチキー操作を受け付けるように構成されたものがある。特許文献２は、ワンタッチキーが操作されたときに、カバー開閉センサーの出力が不適切な組み合わせであれば、サービスエラーを発生させて装置を使用できなくする技術を提案している。
【０００５】
特許文献３は、上記カバーセンサー値の判定の他に、ワンタッチキー及び短縮ダイヤルの押し間違いによる誤送信を防止する技術を提案している。具体的には、ワンタッチキーに割り当てられた送信先を表示するための表示部を用意するといった方法が提案されている。さらには、送信前に登録内容を表示し、ユーザーの確認を促すか否かをユーザー設定で任意に切り替え可能な手法も提案されている。この手法では、ワンタッチ／短縮ダイヤルの利便性を考慮し、デフォルトでは「表示しない」に設定されている。
【先行技術文献】
【特許文献】
【０００６】
【特許文献１】特開２００１−２３８０１３号公報
【特許文献２】特開２００８−０４８２０８号公報
【特許文献３】特開平０６−３０３３０１号公報
【発明の概要】
【発明が解決しようとする課題】
【０００７】
しかしながら、上記従来技術には以下に記載する問題がある。例えば、上記従来技術による画像形成装置では、カバー開閉センサーからの出力が不適切であれば、すぐにサービスコールしてしまうため利便性が悪かった。ただし、単純にサービスエラーを解除してしまうと、複数のカバー開閉センサーを備えていたとしても、両センサーが故障した場合、センサー値が同じとなるため、正常時との判別がつかなくなってしまう。このとき、ワンタッチ誤入力防止のための入力宛先確認画面を「表示する」に設定にしていなかった場合には、指定した送信先が正しいものであるかをユーザーに確認させる方法がない。そのため、指定した送信先が間違っていたとしても、ユーザーはそれに気付かず送信してしまう可能性があり、ファクシミリ誤送信の懸念は払拭されない。さらには、カバーセンサー故障時を想定し、入力宛先確認画面のデフォルト設定を「表示する」としてしまうと、問題がない場合にも入力宛先確認画面が表示されるため、ユーザビリティの低下を招いてしまう。
【０００８】
本発明は、上述の問題に鑑みて成されたものであり、誤送信を抑制しつつ、ユーザーフレンドリーな操作体系を提供し、短縮キーに設けられた開閉カバーセンサーからの出力値が不適切であった場合には、その後に短縮キーが操作された場合に送信宛先をユーザーに確認させる仕組みを提供することを目的とする。
【課題を解決するための手段】
【０００９】
本発明は、画像形成装置であって、送信宛先の短縮入力を実現する短縮キーと、前記短縮キーを覆うように設けられた開閉可能なカバーと、前記カバーの開状態及び閉状態を出力する第１及び第２カバー開閉検知スイッチと、前記短縮キーの操作を受け付けた際に、前記第１及び第２カバー開閉検知スイッチが異なる検知結果を示す場合には、前記第１及び第２カバー開閉検知スイッチから異なる出力が発生したことを示す不一致情報を不揮発性の記憶手段に記憶させ、前記画像形成装置を再起動する制御手段とを備えることを特徴とする。
【発明の効果】
【００１０】
本発明によれば、誤送信を抑制しつつ、ユーザーフレンドリーな操作体系を提供し、短縮キーに設けられた開閉カバーセンサーからの出力値が不適切であった場合には、その後に短縮キーが操作された場合に送信宛先をユーザーに確認させることができる。
【図面の簡単な説明】
【００１１】
【図１】一実施形態に係る画像形成装置の構成の一例を示すブロック図。
【図２】一実施形態に係る画像形成装置の操作パネルを示す図。
【図３】一実施形態に係る画像形成装置の操作パネルを構成するワンタッチキー周辺の外観図。
【図４】一実施形態に係るワンタッチキー／短縮ダイヤルとアドレス帳の関連を示す図。
【図５】一実施形態に係るカバー開閉検知機構の故障判定表。
【図６】一実施形態に係るワンタッチキー／短縮ダイヤルから宛先を指定した場合の画面フローを示す図。
【図７】一実施形態に係る入力宛先確認画面の表示可否を設定する画面を示す図。
【図８】一実施形態に係る画像形成装置の処理を示すフローチャート。
【発明を実施するための形態】
【００１２】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１３】
＜第１の実施形態＞
＜画像形成装置の構成＞
以下では、図１乃至図８を参照して、本発明の第１の実施形態について説明する。まず、図１を参照して、本実施形態に係る画像形成装置の構成について説明する。図１において、各ブロックは、モジュールを示しており、ブロック間の矢印はデータ又は指示の流れを示している。
【００１４】
画像形成装置１００は、印刷部１０７、読取部１０９、操作パネル１１０、回線Ｉ／Ｆ１１２、及び、これらの制御を司るコントローラ部１０１を備える。コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢＩ／Ｆ１１５、及びネットワークＩ／Ｆ１１８を備える。各ブロックは、システムバス１０５にて接続されている。
【００１５】
ＣＰＵ１０２は、各種制御プログラムに従って各ブロックを総括的に制御する。ＣＰＵ１０２は、ＲＯＭ１０４のプログラム領域に記憶された制御プログラムを読み出すことによって実行する。或いは、ＣＰＵ１０２は、ＲＯＭ１０４のプログラム領域に記憶された圧縮されたデータをＲＡＭ１０３へ伸張、展開して実行する。また、不図示のハードディスクドライブ（ＨＤＤ）に前述の各種制御プログラムを圧縮状態／非圧縮状態で格納してもよい。
【００１６】
ネットワークＩ／Ｆ１１８は、ネットワーク（ＬＡＮ）１２０などを介してホストコンピュータ１２１（図中、ＰＣと表記；以降、ＰＣと称する。）との通信処理を行う。ネットワークＩ／Ｆ１１８とネットワーク網１２０とは、ＬＡＮケーブル１１９などの通信ケーブルで接続される。ＭＯＤＥＭ１１１は、回線Ｉ／Ｆ１１２を介して公衆回線網１１４と接続し、不図示の他の画像形成装置やファクシミリ装置、電話機などと通信処理を行う。回線Ｉ／Ｆ１１２と公衆回線網１１４とは、一般的に電話線１１３などで接続される。
【００１７】
印刷部Ｉ／Ｆ１０６は、印刷部１０７（プリンターエンジン）に画像信号を出力するインターフェースを担う。また、読取部Ｉ／Ｆ１０８は、読取部１０９（スキャナーエンジン）からの読取画像信号を入力するインターフェースを担う。ＣＰＵ１０２は、読取部Ｉ／Ｆ１０８を介して入力された画像信号を処理し、記録画像信号として印刷部Ｉ／Ｆ１０６へ出力する。
【００１８】
ＣＰＵ１０２は、ＲＯＭ１０４のフォント領域に記憶されたフォント情報を用いて、操作パネル１１０の表示部に文字や記号を表示したり、ユーザーの指示を受けた操作パネル１１０からの指示情報を受けたりする。また、ＲＯＭ１０４のデータ領域には、ＣＰＵ１０２によって画像形成装置１００の装置情報や、ユーザーの電話帳情報、部門管理情報などが記憶され、ＣＰＵ１０２により必要に応じて読み出され、必要に応じて更新される。本ブロック図では、読取部１０９及び印刷部１０７を画像形成装置１００の内部にある構成としたが、それぞれもしくは両方とも外部にある構成としてもよい。
【００１９】
＜操作パネル＞
次に、図２を参照して、本実施形態における、画像形成装置１００の操作パネル１１０の構成例について説明する。本実施形態における画像形成装置１００は、上述の読取部１０９と印刷部１０７とによるコピー機能や、読取部１０９とＵＳＢＩ／Ｆ１１５によるスキャン機能などを有するものとする。加えて、ＭＯＤＥＭ１１１によるファクシミリ機能や、ＵＳＢ（Ｕｎｉｖｅｒｓａｌ  Ｓｅａｒｉａｌ  Ｂｕｓ）１１６やネットワーク網２０経由でＰＣ１２１から指示を受けた印刷（プリント）を行う機能も有する。
【００２０】
操作パネル１１０について説明する。操作パネル１１０には、上述した機能を選択するファンクションキー２０１〜２０３があり、ユーザーは使用したい機能のボタンを操作する。また、ユーザーに設定状態や画像形成装置１００の機器状態を通知するための表示部２０４を有する。矢印キー２０５は、表示部２０４に表示されたカーソルなどの移動に用いられる。矢印キー２０５は、上下左右４つのボタンがある。矢印キーの中央には、ＯＫキー２０６が配置され、設定や問い合わせに対する「決定キー」の機能を有する。
【００２１】
コピー部数やファクシミリ機能における電話番号の入力などには、ユーザーはテンキー２０７を用いる。コピーやスキャンやファクシミリのスタートを指示するキーとして白黒スタートキー２０８やカラースタートキー２０９がある。原稿を読み取った時にカラー原稿かモノクロ原稿かを判別可能な機能を有する画像形成装置においては、図２に示すように、個別のスタートキーを設けない場合がある。
【００２２】
ストップキー２１０は各機能の動作を停止させる指示を行うキーである。一方、動作を停止させる方法として、ユーザーは、状態確認・停止キー２１１を使って現在画像形成装置１００で行っている処理の状態確認画面より、停止したい処理を選択して停止させることができる。その場合も、選択や決定には、上述の矢印キー２０５とＯＫキー２０６とを用いる。
【００２３】
ファクシミリや送信を行う際の送信宛先の短縮入力を実現する方法としてワンタッチキー２１２、短縮キー２１３及びアドレス帳キー２１４がある。ワンタッチキー２１２は、各ボタンに対して１つの宛先が登録されており、所望のボタンを操作することで宛先を指定することができる。ワンタッチキー２１２の詳細な構成については図３を用いて後述する。短縮ダイヤルは短縮キー２１３を操作することで番号入力を促す画面が操作パネル１１０に表示され、所望の宛先に割り当てられた番号をテンキー２０７から入力することで宛先を指定することができる。アドレス帳は、画像形成装置１００に登録されている宛先の一覧を表示し、矢印キー２０５によって宛先を選択し、ＯＫキー２０６によって所望の宛先を決定する。
【００２４】
＜ワンタッチキー＞
次に、図３を参照して、操作パネル１１０を構成するワンタッチキーの構成について説明する。ワンタッチキー２１２には、各キーを覆うようカバー３１０が開閉可能に設けられている。３０１は、ワンタッチキー２１２のカバー３１０を閉じた状態を示す。３０１に示すように、ワンタッチキー２１２として１４個の入力キーが配置されている。
【００２５】
３０２は、ワンタッチキー２１２のカバー３１０を開けた状態を示す。カバー３１０は、ワンタッチキー２１２の図３において上側の辺を軸として開閉する仕組みである。３２０はワンタッチキー群の内の１つの入力キーであり、カバー１０を閉じた状態ではワンタッチダイヤル番号「０１」として、カバー１０を開けた状態では、ワンタッチダイヤル番号「１１」として、それぞれに宛先を登録できるようになっている。
【００２６】
３１５はワンタッチキー群を覆う外装である。３１１、３１２は、カバー３１０の内側に設けられた突起であり、３１３、３１４は外装３１５に設けられた開口部である。突起３１２はカバー３１０が閉じられたとき、開口部３１３を通じてカバー開閉検知スイッチ３０５を押すように構成されている。同様に、突起３１１はカバー３１０が閉じられたとき、開口部３１４を通じてカバー開閉検知スイッチ３０６を押すように構成されている。
【００２７】
３０３は、ワンタッチキー２１２周辺を横から見た断面図を示す。３１６は、カバー開閉検知スイッチ３０５やスイッチ３０６を実装する操作部基板である。３０３に示すように、カバー開閉検知スイッチ３０５やスイッチ３０６の真上に開口部３１３、３１４が配置されている。カバー開閉検知スイッチ３０５とスイッチ３０６は、検知結果として、カバー３１０が閉じて突起３１１、３１２が押されたとき電気的ＯＮ状態を出力する。また、カバー開閉検知スイッチ３０５とスイッチ３０６は、検知結果として、カバー３１０が開いて突起３１１、３１２が押されていないとき電気的ＯＦＦ状態を、操作パネル１１０を介してＣＰＵ１０２に伝える。
【００２８】
＜アドレス帳＞
次に、図４を参照して、本実施形態における、ワンタッチキー／短縮ダイヤルとアドレス帳について説明する。図４ではワンタッチキー２１２においてキー０１にユーザー１、キー０２にユーザー２が割り当てられている。また、短縮ダイヤルとして００１にユーザー３が割り当てられ，００２にユーザー４が割り当てられている。短縮ダイヤルを指定するためには、短縮キー２１３を操作した後、テンキー２０７から登録されている番号を入力する。ワンタッチキー及び短縮ダイヤルに登録されている宛先は、アドレス帳からも参照／使用することができる。
【００２９】
アドレス帳は、アドレス帳キー２１４を操作することで表示される。登録されている宛先がどのプロトコルのものであるかはアイコン４０１で示される。図４ではユーザー１〜ユーザー３は、プロトコルがファクシミリであることを示し、ユーザー４はＥ−Ｍａｉｌであることを示している。登録されている宛先がワンタッチキー２１２に割り当てられているか否かはアイコン４０２で示される。図４ではユーザー１及びユーザー２がワンタッチキー２１２に割り当てられている。アドレス帳に表示される項目は、タブ４０３によって切り替えることができる。図４では「全て」、「ワンタッチキー」、「“あ”で始まる宛先」のタブが表示されている。宛先及びタブについて、現在選択されている項目は反転表示される。図４では、「全て」が選択されている。
【００３０】
＜故障判定＞
次に、図５を参照して、本実施形態における、カバーセンサーの故障判定について説明する。５０２、５０３に示すように、カバー開閉検知スイッチ３０５とスイッチ３０６とが互いに異なる出力をしているときに、ＣＰＵ１０２は、カバー３１０が故障したと判定する。例えば、カバー開閉検知スイッチ３０５が壊れて常にＯＮ状態となってしまうならば、カバー３１０を開いた状態でワンタッチキーを操作したとき２つのスイッチに不整合が起きて故障と判定される。両方のスイッチがＯＦＦ状態であれば、カバー３１０が開状態（ＯＰＥＮ）であると判定される。両方のスイッチがＯＮ状態であれば、カバー３１０が閉状態（ＣＬＯＳＥ）であると判定される。２つスイッチの出力が異なる場合は、不一致情報として不揮発性のメモリに記憶する。なお、詳細については後述するが、当該不一致情報を発生回数として記憶してもよい。
【００３１】
なお、本実施形態に係る画像形成装置１００は、図５に示す故障判定表を定義したテーブルをＲＯＭ１０４等に予め記憶している。したがって、ＣＰＵ１０２は、ＲＯＭ１０４に記憶されたテーブルを参照して、故障判定を行う。なお、ここでは、２つのセンサー値が異なるか否かで故障か否か判定できるため、上記テーブルを参照することなく故障判定を行ってもよい。より複雑な判定が必要であれば、上述したテーブル等を用いて、故障判定を行うことが望ましい。以下で記載するカバーセンサーとの用語は、カバー開閉検知スイッチ３０５及びスイッチ３０６を示す。
【００３２】
＜画面例＞
次に、図６を参照して、本実施形態におけるワンタッチキー又は短縮ダイヤルで宛先を指定した場合の画面フローについて説明する。以下で説明する画面は、操作パネル１１０の表示部２０４に表示される。６０１は、操作パネル１１０にに表示されるファクシミリ基本画面であり、宛先の入力待ちを行う画面である。この画面においてユーザーがワンタッチキー又は短縮ダイヤルから宛先を指定した場合、入力したワンタッチキー２１２の内容を示す入力宛先確認画面６０２が操作パネル１１０に表示され、ユーザーに対して内容の確認を促す。即ち、入力宛先確認画面６０２は、短縮キー等を操作したことによって設定された宛先で送信を実行するか否かをユーザーが選択可能に表示される。入力宛先確認画面６０２では、ワンタッチキー２１２の「０１」が選択され、当該ワンタッチキー２１２に関連付けられた宛先である「０３１２３４５６７８」が表示されている。
【００３３】
ユーザーは入力宛先確認画面６０２の内容を確認し、所望の宛先であれば、「ＯＫ」を選択し、所望の宛先でなければ「Ｃａｎｃｅｌ」を選択する。入力宛先確認画面６０２において「ＯＫ」が選択された場合、宛先が指定されたファクシミリ画面６０３に遷移する。入力宛先確認画面６０２において「Ｃａｎｃｅｌ」が選択された場合、宛先の指定は行われず、画面６０１に戻る。画面６０３では、送信開始を行うためのスタートキーと、送信設定とが表示される。
【００３４】
次に、図７を参照して、本実施形態における入力宛先確認画面６０２の表示可否をユーザー操作に応じて設定する画面７０１について説明する。画面７０１においてＯＦＦが選択された場合、ワンタッチキー又は短縮ダイヤルからの宛先入力があっても、入力宛先確認画面６０２を表示しない。一方、画面７００においてＯＮが選択された場合、ワンタッチキー又は短縮ダイヤルからの宛先入力であれば入力宛先確認画面６０２を操作パネル１１０に表示する。
【００３５】
＜処理手順＞
次に、図８を参照して、本実施形態における入力宛先確認画面６０２の表示設定切替処理の手順について説明する。以下で説明する処理は、ＣＰＵ１０２がＲＯＭ１０４等に格納された制御プログラムをＲＡＭ１０３に読み出して実行することにより実現される。
【００３６】
Ｓ８０１において、ＣＰＵ１０２は、操作パネル１１０を介してユーザーによって選択されたキー入力を受け付ける。続いて、Ｓ８０２において、ＣＰＵ１０２は、Ｓ８０１で入力されたキーの種別を判定する。ワンタッチキー２１２以外の入力を検知した場合は、Ｓ８０４へと進み、ＣＰＵ１０２は、入力キーに該当する画面を、操作パネル１１０の表示部２０４に表示し、処理を終了する。即ち、ワンタッチキー２１２以外の入力であれば、通常の処理が実行される。
【００３７】
一方、ワンタッチキー２１２の操作による宛先入力を検知した場合は、Ｓ８０６へと進み、ＣＰＵ１０２は、カバー開閉検知の機構が故障しているか否かを判定する。ここでの故障判定は、不揮発性メモリに記憶された不一致情報を参照することにより行ってもよい。具体的には、不一致情報がカバー開閉検知スイッチ３０５とスイッチ３０６とが互いに異なる出力をしていることを示す場合に、故障と判定する。この時、ＣＰＵ１０２は、故障と判定した場合の回数を、不揮発性メモリ等に格納する。格納された情報は、センサーが不安定な状態にあるか否かを判別するために後述するＳ８１７で参照される。
【００３８】
もし故障していたならばＳ８０７に進み、ＣＰＵ１０２は、誤ダイヤルになる可能性があるので、サービスコールエラーを表示部２０４に表示して、画像形成装置１００が使用できないように制御する。カバー開閉状態の遷移タイミング、異物混入等によるセンサー値の不一致発生を考慮し、エラー状態はラッチ（保持）せず、Ｓ８０８の電源ＯＦＦ／ＯＮ（再起動すること）によりサービスコール状態から復帰させる。エラー状態をラッチ（保持）しないとは、不揮発性のメモリに格納されない情報であることを意味し、電源ＯＦＦ／ＯＮでクリアされる。つまり、一度電源ＯＦＦ／ＯＮを行うと、過去のシステム異常状態（サービスコール状態）は検知できない。つまり、再起動することによりエラー状態を解消している。
【００３９】
一方、故障していなければＳ８０９に進み、ＣＰＵ１０２は、ワンタッチキー２１２にワンタッチダイヤル先が登録済であるか否かを判定する。なお、このフローへ進むケースとして、センサーが正常の場合だけでなく、両センサー故障の場合も含まれる。両センサーが故障した場合には、センサー値は同じとなる可能性もあるため、正常時と判別がつかない。この場合、ワンタッチダイヤル先が正しく設定されている保証はない。
【００４０】
ワンタッチダイヤル先が登録されていなければＳ８１０に進み、ＣＰＵ１０２は、ワンタッチダイヤルの登録処理を行う。ワンタッチダイヤル先が登録されていれば、Ｓ８１１へと進み、ＣＰＵ１０２は、入力宛先確認画面６０２の表示設定を確認する。当該表示設定は、図７を用いて説明した設定情報である。入力宛先確認画面６０２が「表示する」に設定されていた場合は、Ｓ８１２においてＣＰＵ１０２は表示部２０４に入力宛先確認画面６０２を表示する。
【００４１】
次に、Ｓ８１３において、ＣＰＵ１０２は、ユーザーが入力宛先確認画面６０２において「ＯＫ」を選択したか、「Ｃａｎｃｅｌ」を選択したかを判定する。ユーザーが「Ｃａｎｃｅｌ」を選択した場合、Ｓ８１４に進み、ＣＰＵ１０２は、入力された宛先を破棄して処理を終了する。
【００４２】
一方、ユーザーが「ＯＫ」を選択した場合は、Ｓ８１５に進み、ＣＰＵ１０２は、入力された宛先を送信先として設定する。これにより、送信処理が可能となる。Ｓ８１６において、ＣＰＵ１０２は、設定された宛先への送信処理を実行する。
【００４３】
Ｓ８１１で入力宛先確認画面６０２を「表示しない」に設定されていると判定すると、Ｓ８１７において、ＣＰＵ１０２は、Ｓ８０６で算出されるカバーセンサー故障判定回数を参照し、センサー不一致状態を判定する。センサー不一致状態は、センサー不一致状態が一度も検知されていなければ、正常な状態であると判断し、Ｓ８１５へと進む。Ｓ８１５において、ＣＰＵ１０２は、入力された宛先を送信先として設定し、送信可能状態となる。
【００４４】
一方、ファクシミリ誤送信のリスクを少しでも軽減させるために、カバーセンサーの状態が一度でも不安定な状態になった場合は、Ｓ８１８へと進み、ＣＰＵ１０２は、入力宛先確認画面６０２の表示設定を「表示しない」から「表示する」に切り替える。設定変更後、Ｓ８１２へ進み、以降同様の処理を行うことで、ユーザーは宛先設定前に入力確認を行うことが可能となる。
【００４５】
以上説明したように、本実施形態によれば、ワンタッチキー操作時に、センサー不一致を検知してサービスエラー状態となっても、電源ＯＦＦ／ＯＮでサービスエラーを解除可能なため、装置を継続して使用することができる。また、カバーセンサー不一致を検知した際に、誤送信のリスクを考慮して、自動的に宛先入力確認画面を表示するよう設定が切り替わるため、サービスエラーが解除されたとしても、誤送信を防止できる可能性が高まる。つまり、最低限のセキュリティを確保しつつ、できる限りデバイスを使えるようにすることが可能になる。入力宛先確認画面６０２の設定変更は、サービスエラー状態とは異なり、電源ＯＦＦ／ＯＮ後も保持されるため、最低限のセキュリティを確保しつつ、できる限りデバイスを使うことが可能な画像形成装置を提供できる。なお、上記実施形態では、センサー値の不一致発生回数の閾値を１としていたが、構成に応じて、所定の閾値へ変更してもよい。その場合には、当該発生回数が、変更した所定の閾値へ達した場合に強制的に確認画面を表示することがきでる。
【００４６】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４７】
３０５：カバー開閉検知スイッチ、３０６：カバー開閉検知スイッチ、３１０：カバー、３１１：突起、３１２：突起、３１３：開口部、３１４：開口部、３１５：外装、３１６：操作部基板、１００：画像形成装置
【図１】
2015192410.tif 000003
【図２】
2015192410.tif 000004
【図３】
2015192410.tif 000005
【図４】
2015192410.tif 000006
【図５】
2015192410.tif 000007
【図６】
2015192410.tif 000008
【図７】
2015192410.tif 000009
【図８】
2015192410.tif 000010